(57)【要約】【課題】携帯電話端末に対して電話システムの電話帳データを容易に提供する。【解決手段】電話帳データ提供装置２０で、電話制御装置１０で利用されている電話帳データ２３Ａに加えて、当該電話帳データ２３Ａの閲覧可否を判定するための利用者データ２３Ｂを記憶部２３で記憶しておき、通信網５０を介した携帯電話端末３１からの接続要求に応じて、当該携帯電話端末３１から通知された認証データを利用者データ２３Ｂに基づき認証し、この認証成功に応じて電話帳データ２３Ａを当該携帯電話端末３１へ提供する。【選択図】  図１
2011077625.tif 000002
【特許請求の範囲】
【請求項１】
複数の内線電話端末と、これら内線電話端末を内線収容するとともに通信網と接続する電話制御装置とを含み、前記電話制御装置が、当該内線電話端末の呼制御を行うことにより前記通信網を用いた当該内線電話端末の通話を実現するとともに、前記内線電話端末での電話帳閲覧操作に応じて、予め登録されている電話帳データを当該内線電話端末で画面表示する電話システムであって、
前記通信網に接続されて、前記電話制御装置で利用されている前記電話帳データを、前記通信網を介して携帯電話端末へ提供する電話帳データ提供装置を備え、
前記電話帳データ提供装置は、
前記電話帳データと当該電話帳データの閲覧可否を判定するための利用者データとを記憶する記憶部と、
前記通信網を介した携帯電話端末からの接続要求に応じて、当該携帯電話端末から通知された認証データを前記利用者データに基づき認証し、この認証成功に応じて前記電話帳データを当該携帯電話端末へ提供する電話帳データ提供処理部と
を備える
ことを特徴とする電話システム。
【請求項２】
請求項１に記載の電話システムにおいて、
前記電話帳データ提供処理部は、前記電話帳データを当該携帯電話端末へ提供する際、当該電話帳データを画面表示するための電話帳表示画面情報を送信し、
前記電話帳データ提供装置は、前記電話帳表示画面情報で表示された任意の電話帳データに対する選択操作により当該携帯電話端末から送信された発信要求を、前記通信網を介して前記電話制御装置へ転送する発信処理部をさらに備え、
前記電話制御装置は、前記電話帳データ提供装置からの発信要求に応じて、当該発信要求で通知された相手先電話番号と携帯電話番号とに基づき、当該相手先電話番号の電話端末と当該携帯電話番号の当該携帯電話端末との間の通話を実現するコールバック処理を行う
ことを特徴とする電話システム。
【請求項３】
請求項１に記載の電話システムにおいて、
前記利用者データは、前記携帯電話端末の利用者または当該携帯電話端末に対して個別に付与されて当該携帯電話端末に予め登録されている個体識別情報を含み、
前記電話帳データ提供処理部は、前記携帯電話端末での前記電話帳データ提供装置に対する接続要求操作に応じて当該携帯電話端末から通知された当該携帯電話端末の個体識別情報を前記利用者データの認証データと照合することにより前記認証を行う
ことを特徴とする電話システム。
【請求項４】
複数の内線電話端末と、これら内線電話端末を内線収容するとともに通信網と接続する電話制御装置とを含み、前記電話制御装置が、当該内線電話端末の呼制御を行うことにより前記通信網を用いた当該内線電話端末の通話を実現するとともに、前記内線電話端末での電話帳閲覧操作に応じて、予め登録されている電話帳データを当該内線電話端末で画面表示する電話システムで用いられる電話帳データ提供方法であって、
前記電話システムは、前記通信網に接続されて、前記電話制御装置で利用されている前記電話帳データを、前記通信網を介して携帯電話端末へ提供する電話帳データ提供装置を備え、
前記電話帳データ提供装置の記憶部が、前記電話帳データと当該電話帳データの閲覧可否を判定するための利用者データとを記憶する記憶ステップと、
前記電話帳データ提供装置の電話帳データ提供処理部が、前記通信網を介した携帯電話端末からの接続要求に応じて、当該携帯電話端末から通知された認証データを前記利用者データに基づき認証し、この認証成功に応じて前記電話帳データを当該携帯電話端末へ提供する電話帳データ提供処理ステップと
を備える
ことを特徴とする電話帳データ提供方法。
【発明の詳細な説明】
【技術分野】
【０００１】
本発明は、電話技術に関し、特に電話システムで利用する電話帳データを携帯電話端末へ提供する電話帳データ提供技術に関する。
【背景技術】
【０００２】
ボタン電話システムやＰＢＸシステムなどの電話システムでは、内線電話端末を制御する主装置やＰＢＸ交換機などの電話制御装置に、相手先電話番号や相手先名前などの相手先データを電話帳データとして登録しておき、各内線電話端末から電話制御装置の電話帳データを閲覧し、いずれかの相手先を選択して発信する電話帳機能が設けられている。
【０００３】
従来、このような電話帳機能を拡大して、携帯電話端末に登録されている電話帳データを、電話制御装置を経由して内線電話端末へ提供することにより、携帯電話端末の電話帳データを内線電話端末で利用する技術が提案されている（例えば、特許文献１など参照）。
【先行技術文献】
【特許文献】
【０００４】
【特許文献１】特開２００１−０６９２２５号公報
【発明の概要】
【発明が解決しようとする課題】
【０００５】
しかしながら、このような従来技術では、携帯電話端末に登録されている電話帳データを、内線電話端末により利用できるものの、電話システムに登録されている電話帳データを携帯電話端末から利用できないという問題点があった。
【０００６】
電話システムが利用されるビジネスシーンでは、社内で内線電話端末を利用し、外出時には携帯電話端末を利用することが多い。この際、関係部署や得意先・顧客の電話番号の多くは電話システムに登録されており、すべてが携帯電話端末に登録されている訳ではない。また、携帯電話端末に登録できる電話帳データ数も記憶容量により制限されている。  このため、外出時、携帯電話端末に登録されていない相手先と連絡を取りたい場合、電話システムの電話帳データを利用できないため、自分の部署に連絡を取って相手先の電話番号を確認する必要があり、利用者にとって大きな負担となっていた。
【０００７】
本発明はこのような課題を解決するためのものであり、携帯電話端末に対して電話システムの電話帳データを容易に提供できる電話帳データ提供技術を提供することを目的としている。
【課題を解決するための手段】
【０００８】
このような目的を達成するために、本発明にかかる電話帳データ提供装置は、複数の内線電話端末と、これら内線電話端末を内線収容するとともに通信網と接続する電話制御装置とを含み、電話制御装置が、当該内線電話端末の呼制御を行うことにより通信網を用いた当該内線電話端末の外線通話を実現するとともに、内線電話端末での電話帳閲覧操作に応じて、予め登録されている電話帳データを当該内線電話端末で画面表示する電話システムであって、通信網に接続されて、電話制御装置で利用されている電話帳データを、通信網を介して携帯電話端末へ提供する電話帳データ提供装置を備え、電話帳データ提供装置は、電話帳データと当該電話帳データの閲覧可否を判定するための利用者データとを記憶する記憶部と、通信網を介した携帯電話端末からの接続要求に応じて、当該携帯電話端末から通知された認証データを利用者データに基づき認証し、この認証成功に応じて電話帳データを当該携帯電話端末へ提供する電話帳データ提供処理部とを備えている。
【０００９】
この際、電話帳データ提供処理部は、電話帳データを当該携帯電話端末へ提供する際、当該電話帳データを画面表示するための電話帳表示画面情報を送信し、電話帳データ提供装置は、電話帳表示画面情報で表示された任意の電話帳データに対する選択操作により当該携帯電話端末から送信された発信要求を、通信網を介して電話制御装置へ転送する発信処理部をさらに備え、電話制御装置で、電話帳データ提供装置からの発信要求に応じて、当該発信要求で通知された相手先電話番号と携帯電話番号に基づき、当該相手先電話番号の電話端末と当該携帯電話番号の当該携帯電話端末との間の通話を実現するコールバック処理を行うようにしてもよい。
【００１０】
また、利用者データとして、携帯電話端末の利用者または当該携帯電話端末に対して個別に付与されて当該携帯電話端末に予め登録されている個体識別情報を含み、電話帳データ提供処理部で、携帯電話端末での電話帳データ提供装置に対する接続要求操作に応じて当該携帯電話端末から通知された当該携帯電話端末の個体識別情報を利用者データの認証データと照合することにより認証を行うようにしてもよい。
【００１１】
また、本発明にかかる電話帳データ提供方法は、複数の内線電話端末と、これら内線電話端末を内線収容するとともに通信網と接続する電話制御装置とを含み、電話制御装置が、当該内線電話端末の呼制御を行うことにより通信網を用いた当該内線電話端末の外線通話を実現するとともに、内線電話端末での電話帳閲覧操作に応じて、予め登録されている電話帳データを当該内線電話端末で画面表示する電話システムで用いられる電話帳データ提供方法であって、電話システムに、通信網に接続されて、電話制御装置で利用されている電話帳データを、通信網を介して携帯電話端末へ提供する電話帳データ提供装置を備え、電話帳データ提供装置の記憶部が、電話帳データと当該電話帳データの閲覧可否を判定するための利用者データとを記憶する記憶ステップと、電話帳データ提供装置の電話帳データ提供処理部が、通信網を介した携帯電話端末からの接続要求に応じて、当該携帯電話端末から通知された認証データを利用者データに基づき認証し、この認証成功に応じて電話帳データを当該携帯電話端末へ提供する電話帳データ提供処理ステップとを備えている。
【発明の効果】
【００１２】
本発明によれば、携帯電話端末に対して電話システムの電話帳データを容易に提供することが可能となる。これにより、外出時、携帯電話端末に登録されていない相手先と連絡を取りたい場合、携帯電話端末で電話帳閲覧操作を行うだけで、電話システムの電話帳データを容易に利用できる。このため、従来のように、自分の部署に連絡を取って相手先の電話番号を確認する必要がなくなり、利用者の負担を大幅に削減できる。
【図面の簡単な説明】
【００１３】
【図１】第１の実施の形態にかかる電話システムの構成を示すブロック図である。
【図２】電話帳データの構成例である。
【図３】利用者データの構成例である。
【図４】第１の実施の形態にかかる電話システムの動作を示すシーケンス図である。
【図５】ログイン画面の表示例である。
【図６】電話帳表示画面の表示例である。
【図７】第２の実施の形態にかかる電話システムの動作を示すシーケンス図である。
【発明を実施するための形態】
【００１４】
次に、本発明の実施の形態について図面を参照して説明する。
［第１の実施の形態］
まず、図１を参照して、本発明の第１の実施の形態にかかる電話システムについて説明する。図１は、第１の実施の形態にかかる電話システムの構成を示すブロック図である。
【００１５】
この電話システム１は、全体としてボタン電話システムやＰＢＸシステムなどの電話システムからなり、複数の内線電話端末１５と、これら内線電話端末１５を内線収容するとともに通信網５０と接続する電話制御装置１０とを含んでいる。
電話制御装置１０は、これら内線電話端末１５の呼制御を行うことにより、これら内線電話端末１５間における内線通話や、通信網５０を用いた内線電話端末１５の外線通話を実現する機能と、内線電話端末１５での電話帳閲覧操作に応じて、予め記憶部１３に登録されている電話帳データ１３Ａを当該内線電話端末１５で画面表示する機能とを有している。
【００１６】
本実施の形態は、電話システム１の構成装置として、通信網５０に接続されて、電話制御装置１０で利用されている電話帳データを通信網５０を介して携帯電話端末３１へ提供する電話帳データ提供装置２０を備えている。そして、この電話帳データ提供装置２０で、電話帳データに加えて、この電話帳データの閲覧可否を判定するための利用者データを記憶部で記憶しておき、通信網５０を介した携帯電話端末３１からの接続要求に応じて、当該携帯電話端末３１から通知された認証データを利用者データに基づき認証し、この認証成功に応じて電話帳データを当該携帯電話端末３１へ提供するようにしたものである。
【００１７】
次に、図１を参照して、第１の実施の形態にかかる電話システム１の構成について詳細に説明する。本発明では、電話システム１がＶｏＩＰ技術を用いたＩＰ電話システムからなり、インターネットなどの通信網５０を用いて音声通話やデータ通信を行うＩＰ電話システムを前提として説明する。
【００１８】
［電話制御装置］
電話制御装置１０は、全体として呼制御サーバなどのサーバ装置からなり、電話システム１がＩＰボタン電話システムの場合、電話制御装置１０は主装置に相当し、電話システム１がＩＰ−ＰＢＸシステムの場合、電話制御装置１０はＰＢＸに相当する。
この電話制御装置１０には、主な機能部として、呼制御部１１、データ管理部１２、および記憶部１３が設けられている。
【００１９】
呼制御部１１は、各内線電話端末１５とデータ通信を行うことにより、これら内線電話端末１５の発信や着信などの呼制御を行う機能を有している。
【００２０】
データ管理部１２は、記憶部１３の電話帳データ１３Ａを管理する機能として、内線電話端末１５からの電話帳登録要求に応じて記憶部１３の電話帳データ１３Ａのうち当該内線電話端末１５に対応する電話帳データ１３Ａの登録・編集を行う機能と、内線電話端末１５からの電話帳閲覧要求に応じて電話帳データ１３Ａのうち当該内線電話端末１５の内線電話番号に対応する電話帳データ１３Ａを当該内線電話端末１５で画面表示する機能とを有している。
【００２１】
また、データ管理部１２は、記憶部１３の利用者データ１３Ｂを管理する機能として、内線電話端末１５からの利用者データ登録要求に応じて記憶部１３の利用者データ１３Ｂの登録・編集を行う機能と、オペレータ操作あるいは通信網５０を介した電話帳データ提供装置２０からの転送要求に応じて、記憶部１３の電話帳データ１３Ａや利用者データ１３Ｂを、通信網５０を介して電話帳データ提供装置２０へ転送する機能とを有している。
【００２２】
記憶部１３は、ハードディスクや半導体メモリなどの記憶装置からなり、電話制御装置１０の各部で利用する各種処理情報やプログラムを記憶する機能を有している。
記憶部１３で記憶される主な処理情報として、電話帳データ１３Ａと利用者データ１３Ｂがある。
【００２３】
電話帳データ１３Ａは、内線電話端末１５が音声通話を行う相手先に関するデータであり、内線電話端末１５に割り当てられている内線電話番号ごとに対応付けて、さらには複数の内線電話端末１５からなるグループごとや、全内線電話端末１５で共通に対応付けて、記憶部１３に登録されている。
図２は、電話帳データの構成例である。ここでは、内線電話番号ごとに、相手先電話番号と相手先名前の組が登録されている。
【００２４】
利用者データ１３Ｂは、電話帳データ提供装置２０の電話帳データを閲覧する利用者に関するデータであり、利用者を識別する利用者ＩＤごとに対応付けて、記憶部１３に登録されている。
図３は、利用者データの構成例である。ここでは、利用者ＩＤごとに、当該利用者が電話システム１で用いる内線電話端末１５の内線電話番号と当該利用者を電話帳データ提供装置２０で認証するための認証データとが組として登録されている。認証データとしては、個体識別情報とパスワードのいずれか１つ以上が登録される。
【００２５】
個体識別情報は、携帯電話端末の利用者または当該携帯電話端末に固有の識別情報であり、個体識別番号や契約者固有ＩＤ（ｕｉｄ）と呼ばれる。この個体識別情報には、当該利用者が携帯電話サービスを利用開始する際に通信事業者から利用者に対して割り当てられる利用者固有の情報と、携帯電話端末が製造された際にメーカーにより割り当てられる製造番号などの端末固有の情報があり、携帯電話端末のメモリに予め登録されている。パスワードは、利用者が電話帳データ提供装置２０の電話帳データを閲覧するためのパスワードとして決定したものである。
【００２６】
これら認証データは、利用者が内線電話端末１５を操作して、予め電話制御装置１０のデータ管理部１２の登録機能により、記憶部１３に登録しておく。なお、個体識別情報は、利用者が携帯電話端末を操作することにより、携帯電話端末の表示画面で確認できる。
【００２７】
個体識別情報の送信については、通信事業者や携帯電話端末の種別によって、利用者承諾操作が不要な場合と、利用者の承諾操作を必要とする場合がある。利用者承諾操作が不要な場合には、携帯電話端末での利用者による接続要求操作時に、携帯電話端末のメモリから個体識別情報を読み出して、電話帳データ提供装置２０へ自動送信できる。一方、利用者承諾操作が必要な場合には、携帯電話端末から個体識別情報を送信する際、利用者承諾操作を求める入力画面を表示し、利用者承諾操作を得た後、個体識別情報を電話帳データ提供装置２０へ送信することになる。また、パスワードは、利用者が携帯電話端末で操作入力したものが電話帳データ提供装置２０へ送信される。
【００２８】
電話制御装置１０のこれら機能部は、ＣＰＵなどのマイクロプロセッサとその周辺回路を有し、記憶部から読み込んだプログラムを実行することにより、各種処理を実行する演算処理部で実現してもよい。
また、電話制御装置１０には、これら機能部のほか、一般的な電話システムの電話制御装置が持つ各種の機能部が設けられている。これら機能部としては、通信網５０との間でデータ通信を行う通信Ｉ／Ｆ部、内線電話端末１５との間でデータ通信を行う内線Ｉ／Ｆ部、これら通信Ｉ／Ｆ部と内線Ｉ／Ｆ部との間の通話経路を切替制御する音声スイッチなどがある。
【００２９】
［電話帳データ提供装置］
電話帳データ提供装置２０は、全体してサーバ装置からなり、ルータ４０を介して通信網５０と接続されて、電話制御装置１０で利用されている電話帳データ１３Ａからなる電話帳データ２３Ａを、通信網５０および携帯電話網５１を介して携帯電話端末３１へ提供する機能を有している。
この電話帳データ提供装置２０には、主な機能部として、電話帳データ提供処理部２１、発信処理部２２、および記憶部２３が設けられている。
【００３０】
電話帳データ提供処理部２１は、携帯電話端末３１へ電話帳データ２３Ａを提供する機能として、携帯電話網５１および通信網５０を介して携帯電話端末３１から受信した接続要求に応じて、当該携帯電話端末３１から通知された認証データを記憶部２３の利用者データ２３Ｂに基づき認証する機能と、この認証成功に応じて記憶部２３の電話帳データ２３Ａを当該携帯電話端末３１へ提供する機能とを有している。
【００３１】
また、電話帳データ提供処理部２１は、電話帳データ２３Ａや利用者データ２３Ｂを管理する機能として、通信網５０を介して電話制御装置１０とデータ通信を行うことにより、電話制御装置１０の電話帳データ１３Ａや利用者データ１３Ｂを受信して、記憶部２３へ電話帳データ２３Ａや利用者データ２３Ｂとして登録する機能を有している。
【００３２】
発信処理部２２は、電話帳データ提供処理部２１で提供した電話帳データに基づく携帯電話端末３１での発信操作により、携帯電話端末３１から通知された発信要求に応じて、当該発信要求を、通信網５０を介して電話制御装置１０へ転送する機能を有している。
【００３３】
記憶部２３は、ハードディスクや半導体メモリなどの記憶装置からなり、電話帳データ提供装置２０の各部で利用する各種処理情報やプログラムを記憶する機能を有している。
記憶部２３で記憶される主な処理情報として、電話帳データ２３Ａと利用者データ２３Ｂがある。これら電話帳データ２３Ａと利用者データ２３Ｂの構成については、電話制御装置１０の電話帳データ１３Ａや利用者データ１３Ｂと同様であり、ここでの詳細な説明は省略する。
【００３４】
電話帳データ提供装置２０のこれら機能部は、ＣＰＵなどのマイクロプロセッサとその周辺回路を有し、記憶部から読み込んだプログラムを実行することにより、各種処理を実行する演算処理部で実現してもよい。
また、電話帳データ提供装置２０には、これら機能部のほか、一般的なサーバ装置が持つ各種の機能部が設けられている。これら機能部としては、通信網５０との間でデータ通信を行う通信Ｉ／Ｆ部、キーボートやマウスなどの操作入力部、ＬＣＤなどの画面表示部などがある。
【００３５】
［ルータ］
ルータ４０は、一般的なルータ装置からなり、電話帳データ提供装置２０との間で、特定の通信網や通信回線を用いてセキュアなデータ通信を行う通信相手を、電話制御装置１０に制限するファイアウォール機能を有している。これにより、電話帳データ１３Ａや利用者データ１３Ｂのデータ転送時に、高いセキュリティ性が得られる。なお、携帯電話端末３１と電話帳データ提供装置２０との間のデータ通信は、セキュアなデータ通信に該当しないため、携帯電話端末３１から電話帳データ提供装置２０に対する接続はルータ４０で制限されていない。
【００３６】
［携帯電話端末］
携帯電話端末３１は、全体として一般的な携帯電話端末からなり、ＨＴＴＰなどの通信プロトコルを用いてデータ通信を行うデータ通信機能や、電話帳データ提供装置２０へ接続して取得した電話帳データを画面表示するとともに、画面表示された操作シンボルへの操作に応じて各種メッセージを電話制御装置１０へ送信するブラウザ機能を有している。
【００３７】
［第１の実施の形態の動作］
次に、図４を参照して、本実施の形態にかかる電話システムの動作について説明する。図４は、第１の実施の形態にかかる電話システムの動作を示すシーケンス図である。ここでは、携帯電話端末３１での接続要求操作に応じて、電話帳データ提供装置２０から携帯電話端末３１へ電話帳データが提供され、この電話帳データに基づく携帯電話端末３１での発信操作に応じて、電話制御装置１０から相手先の呼び出しを行う場合を例として説明する。
【００３８】
電話制御装置１０のデータ管理部１２は、電話帳データ１３Ａの更新時、あるいは定期的に、あるいは電話帳データ提供装置２０からの要求に応じて、記憶部１３の電話帳データ１３Ａを読み出し、通信網５０を介して電話帳データ提供装置２０へ送信する（ステップ１００）。同じく、データ管理部１２は、利用者データ１３Ｂの更新時、あるいは定期的に、あるいは電話帳データ提供装置２０からの要求に応じて、記憶部１３の利用者データ１３Ｂを読み出し、通信網５０を介して電話帳データ提供装置２０へ送信する（ステップ１０１）。
【００３９】
電話帳データ提供装置２０の電話帳データ提供処理部２１は、通信網５０を介して電話制御装置１０から電話帳データ１３Ａや利用者データ１３Ｂを受信し、それぞれ電話帳データ２３Ａや利用者データ２３Ｂとして記憶部２３へ登録する。
【００４０】
この後、携帯電話端末３１で電話帳閲覧操作が行われた場合、携帯電話端末３１から携帯電話網５１および通信網５０を介して電話帳データ提供装置２０へ、接続要求が送信される（ステップ１１０）。この際、携帯電話端末３１に登録されている個体識別情報を、利用者承諾不要で送信できる場合には、この個体識別情報が携帯電話端末３１のメモリから読み出され、接続要求に含めて送信される。
【００４１】
電話帳データ提供装置２０の電話帳データ提供処理部２１は、携帯電話端末３１からの接続要求に応じて、記憶部２３の利用者データ２３Ｂを参照し、接続要求に含まれている個体識別情報が利用者データ２３Ｂに登録されているか照合することにより認証処理を行う（ステップ１１１）。
ここで、接続要求に含まれている個体識別情報が利用者データ２３Ｂに登録されておらず、認証が成功しなかった場合（ステップ１１１：ＮＯ）、電話帳データ提供処理部２１は、予め記憶部２３に登録されているログイン画面情報に基づくログイン処理１２０を開始する。
【００４２】
ログイン処理１２０において、まず、電話帳データ提供処理部２１は、記憶部２３からログイン画面情報を読み出して携帯電話端末３１へ送信する（ステップ１２１）。携帯電話端末３１は、このログイン画面情報を受信して画面表示する。
図５は、ログイン画面の表示例である。このログイン画面は、例えばＨＴＭＬ形式で記述されており、利用者ＩＤとパスワードを入力する入力欄と、これら入力欄に入力された利用者ＩＤとパスワードを電話帳データ提供装置２０へ送信するための送信ボタンが設けられている。
【００４３】
また、このログイン画面には、利用者ＩＤとパスワードに代えて、携帯電話端末３１の個体識別情報を用いて自動ログインするためのログインボタンが設けられている。携帯電話端末３１に登録されている個体識別情報の送信時、利用者の承諾を必要する場合には、このログインボタンの押下が利用者承諾および送信ボタンとなる。
【００４４】
このようにして、ログイン画面に基づき、利用者ＩＤとパスワード、または個体識別情報からなる認証データを含むログイン要求が、携帯電話端末３１から電話帳データ提供装置２０へ送信される（ステップ１２２）。
電話帳データ提供処理部２１は、携帯電話端末３１からのログイン要求に応じて、記憶部２３の利用者データ２３Ｂを参照し、ログイン要求に含まれている認証データが利用者データ２３Ｂに登録されているか照合することにより認証処理を行う（ステップ１２３）。
【００４５】
ここで、接続要求に含まれている認証データが利用者データ２３Ｂに登録されておらず、認証が成功しなかった場合（ステップ１２３：ＮＯ）、電話帳データ提供処理部２１は、認証エラーを携帯電話端末３１へ通知し（ステップ１２４）、一連の電話帳データ提供処理を終了する。
【００４６】
一方、ステップ１２３において、接続要求に含まれている個体識別情報が利用者データ２３Ｂに登録されており、認証が成功した場合（ステップ１２３：ＹＥＳ）、電話帳データ提供処理部２１は、個体識別情報が一致した利用者データ２３Ｂから、当該携帯電話端末３１と対応する内線電話番号を取得し、この内線電話番号と対応する電話帳データ２３Ａを記憶部２３から選択する（ステップ１３０）。そして、得られた電話帳データ２３Ａを含む電話帳表示画面情報を生成し携帯電話端末３１へ送信する（ステップ１３１）。
【００４７】
携帯電話端末３１は、この電話帳表示画面情報を受信して画面表示する（ステップ１３２）。図６は、電話帳表示画面の表示例である。この電話帳表示画面は、例えばＨＴＭＬ形式で記述されており、相手先名前と相手先電話番号とからなる組がリスト表示されている。この際、相手先電話番号の表示シンボルには、当該相手先電話番号に対する発信要求を電話帳データ提供装置２０へ送信する処理が割り当てられており、任意の相手先電話番号を選択操作することにより、発信要求が電話帳データ提供装置２０へ送信される。
【００４８】
また、この電話帳表示画面には、電話帳データの切替を行うための切替ボタンが設けられている。電話帳データには、内線電話番号に対応した利用者に個別の個別電話帳データと、各利用者が共通して閲覧可能な共通電話帳データがある。個別電話帳データを表示している場合にこの切替ボタンを押下すれば、共通電話帳データを要求する接続要求が電話帳データ提供装置２０へ送信され、これに応じて電話帳データ提供処理部２１で記憶部２３から共通電話帳データが選択され、電話帳表示画面により携帯電話端末３１へ送信される。
【００４９】
また、共通電話帳データを表示している場合にこの切替ボタンを押下すれば、個別電話帳データを要求する接続要求が電話帳データ提供装置２０へ送信され、これに応じて電話帳データ提供処理部２１で記憶部２３から携帯電話端末３１と対応する内線電話番号の個別電話帳データが選択され、電話帳表示画面により携帯電話端末３１へ送信される。
【００５０】
また、ステップ１１１において、接続要求に含まれている個体識別情報が利用者データ２３Ｂに登録されており、認証が成功した場合も（ステップ１１１：ＹＥＳ）、前述のステップ１３０へ移行して、携帯電話端末３１と対応する内線電話番号の電話帳データが電話帳表示画面により携帯電話端末３１へ提供される。
【００５１】
この後、電話帳表示画面での相手先電話番号選択操作に応じて、任意の相手先電話番号と自端末の携帯電話番号を含む発信要求が、携帯電話端末３１から電話帳データ提供装置２０へ送信される（ステップ１４０）。
電話帳データ提供装置２０の発信処理部２２は、携帯電話端末３１からの発信要求に応じて、この発信要求を電話制御装置１０へ、通信網５０を介して転送する（ステップ１４１）。
【００５２】
電話制御装置１０の呼制御部１１は、電話制御装置１０から転送された発信要求に含まれている相手先電話番号と携帯電話番号とを用いたコールバック処理を行うことにより（ステップ１４２）、相手先電話番号の電話端末３０と、携帯電話番号の携帯電話端末３１との間の音声通話を実現する。なお、コールバック処理の処理手順については、公知の技術を利用すればよい。
【００５３】
［第１の実施の形態の効果］
このように、本実施の形態は、通信網５０に接続されて、電話制御装置１０で利用されている電話帳データを通信網５０を介して携帯電話端末３１へ提供する電話帳データ提供装置２０を備え、この電話帳データ提供装置２０で、電話帳データ２３Ａに加えて、この電話帳データ２３Ａの閲覧可否を判定するための利用者データ２３Ｂを記憶部２３で記憶しておき、通信網５０を介した携帯電話端末３１からの接続要求に応じて、当該携帯電話端末３１から通知された認証データを利用者データ２３Ｂに基づき認証し、この認証成功に応じて電話帳データ２３Ａを当該携帯電話端末３１へ提供するようにしたので、携帯電話端末に対して電話システムの電話帳データを容易に提供することが可能となる。
【００５４】
これにより、外出時、携帯電話端末に登録されていない相手先と連絡を取りたい場合、携帯電話端末で電話帳閲覧操作を行うだけで、電話システムの電話帳データを容易に利用できる。このため、従来のように、自分の部署に連絡を取って相手先の電話番号を確認する必要がなくなり、利用者の負担を大幅に削減できる。
【００５５】
また、本実施の形態において、電話帳データ提供装置２０の電話帳データ提供処理部２１において、電話帳データを携帯電話端末３１へ提供する際、当該電話帳データを画面表示するための電話帳表示画面情報を送信し、電話帳データ提供装置２０の発信処理部２２において、電話帳表示画面情報で表示された任意の電話帳データに対する選択操作により当該携帯電話端末３１から送信された発信要求を、通信網５０を介して電話制御装置１０へ転送し、電話制御装置１０において、電話帳データ提供装置２０からの発信要求に応じて、当該発信要求で通知された相手先電話番号と携帯電話番号に基づき、当該相手先電話番号の電話端末３０と当該携帯電話番号の当該携帯電話端末３１との間の音声通話を実現するコールバック処理を行うようにしてもよい。
【００５６】
これにより、携帯電話端末３１において、電話帳表示画面から所望の相手先電話番号を選択するという極めて簡単な操作で、携帯電話端末３１の利用者は当該相手先と音声通話を行うことができる。また、携帯電話端末３１の利用者は、あたかも携帯電話端末３１が電話制御装置１０に接続されている感覚で、違和感なくスムーズに、電話帳データに基づく発信サービスを利用することができる。
【００５７】
また、本実施の形態において、利用者データ２３Ｂとして、携帯電話端末３１の利用者または当該携帯電話端末３１に対して個別に付与されて当該携帯電話端末３１に予め登録されている個体識別情報を含み、電話帳データ提供処理部２１において、携帯電話端末３１での電話帳データ提供装置２０に対する接続要求操作に応じて当該携帯電話端末３１から通知された当該携帯電話端末３１の個体識別情報を利用者データ２３Ｂの認証データと照合することにより認証を行うようにしてもよい。
【００５８】
したがって、個体識別情報を送信する際、利用者承諾操作が不要な携帯電話端末３１の場合、利用者は、携帯電話端末３１のブラウザ機能で、予め登録されている電話帳データ提供装置２０のネットワークアドレスを選択するという極めて簡単な接続要求操作だけで、認証に必要な個体識別情報が自動送信されるため、利用者ＩＤやパスワードなどの情報を操作入力するという煩わしい操作を必要とすることなく、電話帳データを閲覧することが可能となる。
【００５９】
また、個体識別情報の送信時に利用者承諾操作を要する携帯電話端末３１の場合には、ステップ１１０において接続要求に個体識別情報を含めずに送信し、ステップ１１１での認証不成功（ステップ１１１：ＮＯ）に応じた、ログイン画面情報の送信時に（ステップ１２１）、個体識別情報送信に対する利用者承諾操作入力画面を電話帳データ提供装置２０から携帯電話端末３１へ送信するようにしてもよい。
これにより、接続要求操作に続く利用者承諾操作だけで、認証に必要な個体識別情報が自動送信されるため、利用者ＩＤやパスワードなどの情報を操作入力するという煩わしい操作を必要とすることなく、電話帳データを閲覧することが可能となる。
【００６０】
また、本実施の形態において、電話帳データ２３Ａとして、当該電話帳データを利用可能な内線電話端末１５の内線電話番号を含み、利用者データ２３Ｂとして、当該利用者が利用する内線電話端末１５の内線電話番号を含み、電話帳データ提供処理部２１において、電話帳データを当該携帯電話端末３１へ提供する際、電話帳データ２３Ａのうちから、認証が成功した利用者データ２３Ｂの内線電話番号と一致する内線電話番号を含む電話帳データ２３Ａを選択して、当該携帯電話端末３１へ提供するようにしてもよい。
これにより、接続要求を行った利用者が内線電話端末１５で個別に利用している個別電話帳データについても携帯電話端末３１へ提供することができる。
【００６１】
［第２の実施の形態］
次に、図７を参照して、本発明の第２の実施の形態にかかる電話システムについて説明する。図７は、第２の実施の形態にかかる電話システムの動作を示すシーケンス図であり、前述した図４と同じまたは同等部分には同一符号を付してある。
【００６２】
第１の実施の形態では、電話帳データ提供装置２０に対して、電話制御装置１０の電話帳データを予め送信して登録しておく場合を例として説明した。本実施の形態では、携帯電話端末３１に関する認証成功に応じて、逐次、対応する電話帳データを電話帳データ提供装置２０が電話制御装置１０から取得する場合を例として説明する。
【００６３】
本実施の形態において、電話帳データ提供装置２０の電話帳データ提供処理部２１は、携帯電話端末３１の認証が成功した後、認証に用いた利用者データ２３Ｂに登録されている内線電話番号を含む取得要求を、通信網を介して電話制御装置１０へ送信する機能と、この取得要求に応じて電話制御装置１０から通知された電話帳データを携帯電話端末３１へ提供する機能とを有している。
【００６４】
また、電話制御装置１０のデータ管理部１２は、電話帳データ提供装置２０からの取得要求に応じて、記憶部１３の電話帳データ１３Ａのうちから、当該取得要求で指定された内線電話番号と一致する内線電話番号を含む電話帳データを選択して、電話帳データ提供装置２０へ送信する機能を有している。
本実施の形態にかかる通信システム１における上記以外の構成については、第１の実施の形態と同様であり、ここでの詳細な説明は省略する。
【００６５】
［第２の実施の形態の動作］
次に、図７を参照して、本実施の形態にかかる電話システムの動作について説明する。
まず、図７において、前述の図４のステップ１００における電話帳データの送信処理が削除されている。その後のステップ１１０，１１１およびステップ１２０については、図４と同様であり、ここでの詳細な説明は省略する。
【００６６】
ステップ１１１またはステップ１２３において、認証が成功とした場合、電話帳データ提供装置２０の電話帳データ提供処理部２１は、認証に用いた携帯電話端末３１の利用者データ２３Ｂに登録されている内線電話番号を含む取得要求を、通信網５０を介して電話制御装置１０へ送信する（ステップ１５０）。
【００６７】
電話制御装置１０のデータ管理部１２は、電話帳データ提供装置２０からの取得要求に応じて、記憶部１３の電話帳データ１３Ａのうちから、当該取得要求で指定された内線電話番号と一致する内線電話番号を含む電話帳データを選択し（ステップ１５１）、電話帳データ提供装置２０へ送信する（ステップ１５２）。
電話帳データ提供処理部２１は、この取得要求に応じて電話制御装置１０から通知された電話帳データを、前述した電話帳表示画面情報により携帯電話端末３１へ提供する（ステップ１３１）。携帯電話端末３１は、この電話帳表示画面情報を受信して画面表示する（ステップ１３２）。
【００６８】
［第２の実施の形態の効果］
このように、本実施の形態では、携帯電話端末３１に関する認証成功に応じて、逐次、対応する電話帳データを電話帳データ提供装置２０が電話制御装置１０から取得し、携帯電話端末３１へ提供するようにしたので、常に最新の電話帳データを携帯電話端末３１へ提供することが可能となる。また、携帯電話端末３１が個人ユースの場合、利用者個人への通信コスト負担を回避することができる。
【００６９】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００７０】
また、各実施の形態では、本発明にかかる電話システムが、専用の内線伝送路で電話端末が主装置に収容されている電話システムである場合を例として説明したが、これに限定されるものではない。例えばＩＰネットワークを介して電話端末が呼制御装置と接続されるＩＰ電話システムにも、前述と同様にして適用でき、前述と同様の作用効果が得られる。
【００７１】
また、各実施の形態では、本発明にかかる電話システムが、ＶｏＩＰ技術によりインターネットなどの通信網５０を用いて、音声通話とデータ通信の両方を通信インターフェース部で行う電話システムである場合を例として説明したが、これに限定されるものではない。例えば、電話制御装置１０に、電話網と接続する音声通話用の電話回線インターフェース部を別個に備え、電話帳データ提供装置２０とのデータ通信は、電話網とは異なるデータ通信網を介して通信インターフェース部で行う電話システムにも、前述と同様にして適用でき、前述と同様の作用効果が得られる。
【００７２】
また、各実施の形態において、携帯電話端末３１から電話帳データ提供装置２０へ接続要求を送信する際、個体識別情報の送信時に利用者承諾操作を要する携帯電話端末３１の場合には、図４のステップ１１０において接続要求に個体識別情報を含めずに送信し、その後のログイン画面で個体識別情報の送信に関する利用者承諾操作を求める場合を例として説明したが、これに限定されるものではない。
【００７３】
例えば、携帯電話端末３１での接続要求操作に応じて、すぐに携帯電話端末３１で利用者承諾操作入力画面を表示し、これに応じて利用者承諾操作が得られた場合には、ステップ１１０において、個体識別情報を含む接続要求を携帯電話端末３１から電話帳データ提供装置２０へ送信するようにしてもよい。
これにより、接続要求操作に続く利用者承諾操作だけで、認証に必要な個体識別情報が自動送信されるため、利用者ＩＤやパスワードなどの情報を操作入力するという煩わしい操作を必要とすることなく、電話帳データを閲覧することが可能となる。
【符号の説明】
【００７４】
１…電話システム、１０…電話制御装置、１１…呼制御部、１２…データ管理部、１３…記憶部、１３Ａ…電話帳データ、１３Ｂ…利用者データ、１５…内線電話端末、２０…電話帳データ提供装置、２１…電話帳データ提供処理部、２２…発信処理部、２３…記憶部、２３Ａ…電話帳データ、２３Ｂ…利用者データ、３０…電話端末、４０…ルータ、５０…通信網、５１…携帯電話網。
【図１】
2011077625.tif 000003
【図２】
2011077625.tif 000004
【図３】
2011077625.tif 000005
【図４】
2011077625.tif 000006
【図５】
2011077625.tif 000007
【図６】
2011077625.tif 000008
【図７】
2011077625.tif 000009